(57)【特許請求の範囲】
【請求項１】
監視対象で測定された測定値の変化を時系列に示す測定値変化グラフを生成する測定値グラフ生成部と、
設定されている条件に一致する前記監視対象の動作状態の検出によるイベントの発生有無に関係なく前記監視対象について警報を出力しない待機状態であるか否かを検出する待機状態検出部と、
前記待機状態検出部が検出した待機状態を示す待機状態表示を生成する待機状態表示生成部と、
前記測定値変化グラフと同じ目盛りの測定値軸で、前記イベントが発生する数値範囲を示す設定範囲表示グラフを生成する設定範囲グラフ生成部と、
前記イベントが発生する数値範囲を示し、前記測定値変化グラフと同じ目盛りの時間軸に平行な線を、前記設定範囲表示グラフに連結した状態で前記測定値変化グラフ内に生成する数値連結線生成部と
前記測定値変化グラフ，前記待機状態表示，および前記設定範囲表示グラフに加え、前記数値連結線生成部が生成した線を同時に表示部に表示させる表示制御部と
を備えることを特徴とする表示装置。
【請求項２】
請求項１記載の表示装置において、
前記測定値変化グラフと同じ目盛りの時間軸で前記測定値の変化に対応させ、前記イベントの発生有無をタイミング図で示したイベント発生表示グラフを生成するイベント発生グラフ生成部を備え、
前記表示制御部は、前記測定値変化グラフおよび前記待機状態表示に加え、前記イベント発生グラフ生成部が生成したイベント発生表示グラフを同時に前記表示部に表示させる
ことを特徴とする表示装置。
【請求項３】
請求項２記載の表示装置において、
前記イベントが発生した時刻を示す前記時間軸に垂直な線を、前記イベント発生表示グラフに連結した状態で前記測定値変化グラフ内に生成する時刻連結線生成部を備え、
前記表示制御部は、前記測定値変化グラフ，前記イベント発生表示グラフ，および前記待機状態表示に加え、前記時刻連結線生成部が生成した線を同時に前記表示部に表示させる
ことを特徴とする表示装置。
【請求項４】
請求項２または３記載の表示装置において、
前記イベント発生グラフ生成部は、複数の前記イベントの発生有無を示す前記イベント発生表示グラフを生成する
ことを特徴とする表示装置。
【請求項５】
請求項１〜４のいずれか１項に記載の表示装置において、
前記設定範囲グラフ生成部は、複数の前記イベント毎に対応する設定範囲を各々異なる表示状態とした前記設定範囲表示グラフを生成する
ことを特徴とする表示装置。
【発明の詳細な説明】
【技術分野】
【０００１】
本発明は、調節計による監視状態を表示する表示装置に関する。
【背景技術】
【０００２】
各種温度環境等の温度を調節する温度調節計は、熱電対や測温抵抗体等の温度センサを用いて検出された監視対象の温度を数値表示し、また、検出した温度（ＰＶ値）と設定温度（ＳＰ値）とに従って加熱・冷却装置に対する制御出力（ＭＶ値）を求め、監視対象の温度を制御する。ところで、温度調節計は、小型化などのために各情報を表示する領域を大きくすることができない。
【０００３】
このため、測定値の時系列な変化などを示すトレンドグラフなどは、調節計に接続したパーソナルコンピュータ，タブレット端末，スマートフォンなどの小型なコンピュータ機器の、モニタ上のトレンド画面において確認可能とされている（特許文献１参照）。トレンド画面においては、調節計の設定状態、測定値の変化などが表やグラフなどで示される。例えば、図４に示すように、領域４０１に、２つの監視対象における温度測定結果の変化がグラフで示される。また、設定されている数値範囲より外れた値が測定された結果が、領域４０２において、警報のオンオフ変化としてタイミング図で表示される。また、接続したコンピュータ機器により、調節計の設定変更などが行えるように構成されている。
【先行技術文献】
【特許文献】
【０００４】
【特許文献１】特開２００４−１７８１５７号公報
【特許文献２】特開平１１−００７３２６号公報
【発明の概要】
【発明が解決しようとする課題】
【０００５】
しかしながら、上述したトレンド画面では、設定および設定が反映された結果に対し、測定値が正しく関連しているか、また、測定されている結果の原因などが、容易に判断できないという問題がある。例えば、温度調節計には、待機動作が備わっている（特許文献２参照）。待機動作とは、温度調節計の初期動作時や制御対象機器の立ち上げ時などに、警報を出力しない動作である。しかしながら、運転中に待機状態であることが、トレンド画面では確認できない。
【０００６】
このため、例えば、トレンド画面にグラフ表示されている測定値が、操作者が知り得ている設定範囲を超えて異常値を示しているが、警報がオン状態として表示されていない場合がある。この状態が、温度調節計の設定間違いや故障などにより異常値を表示しているのか、異常値であっても待機動作中であるために問題がないのかが、トレンドグラフを見ただけでは区別できない。このように、従来では、トレンドのある時点の結果を見ただけでは、測定されている値となる設定と、測定値との関係を直感的に判別することができないという問題があった。
【０００７】
本発明は、以上のような問題点を解消するためになされたものであり、トレンド画面に表示されている現状の測定結果と設定との関係が、利用者に容易に確認できるようにすることを目的とする。
【課題を解決するための手段】
【０００８】
本発明に係る表示装置は、監視対象で測定された測定値の変化を時系列に示す測定値変化グラフを生成する測定値グラフ生成部と、設定されている条件に一致する監視対象の動作状態の検出によるイベントの発生有無に関係なく監視対象について警報を出力しない待機状態であるか否かを検出する待機状態検出部と、待機状態検出部が検出した待機状態を示す待機状態表示を生成する待機状態表示生成部とを備える。
【０００９】
なお、測定値が設定されているディレイの状態であることを検出するディレイ状態検出部と、ディレイ状態検出部が検出したディレイの状態を表示するディレイ表示を生成するディレイ表示生成部とを備え、表示制御部は、測定値変化グラフおよび待機状態表示に加え、ディレイ表示生成部が生成したディレイ表示を同時に表示部に表示させるようにしてもよい。
【００１０】
上記表示装置において、測定値変化グラフと同じ目盛りの時間軸で測定値の変化に対応させ、イベントの発生有無をタイミング図で示したイベント発生表示グラフを生成するイベント発生グラフ生成部を備え、表示制御部は、測定値変化グラフおよび待機状態表示に加え、イベント発生グラフ生成部が生成したイベント発生表示グラフを同時に表示部に表示させるようにしてもよい。
【００１１】
上記表示装置において、イベントが発生した時刻を示す時間軸に垂直な線を、イベント発生表示グラフに連結した状態で測定値グラフ内に生成する時刻連結線生成部を備え、表示制御部は、測定値変化グラフ，イベント発生表示グラフ，および待機状態表示に加え、時刻連結線生成部が生成した線を同時に表示部に表示させるようにしてもよい。
【００１２】
上記表示装置において、イベント発生グラフ生成部は、複数のイベントの発生有無を示すイベント発生表示グラフを生成するようにしてもよい。
【００１３】
上記表示装置は、測定値変化グラフと同じ目盛りの測定値軸で、イベントが発生する数値範囲を示す設定範囲表示グラフを生成する設定範囲グラフ生成部を備える。
【００１４】
上記表示装置は、イベントが発生する数値範囲を示し、前記測定値変化グラフと同じ目盛りの時間軸に平行な線を、設定範囲表示グラフに連結した状態で測定値グラフ内に生成する数値連結線生成部と、測定値変化グラフ，待機状態表示，および設定範囲表示グラフに加え、数値連結線生成部が生成した線を同時に表示部に表示させる表示制御部とを備える。
【００１５】
上記表示装置において、設定範囲グラフ生成部は、複数のイベント毎に対応する設定範囲を各々異なる表示状態とした設定範囲表示グラフを生成するようにしてもよい。
【発明の効果】
【００１６】
以上説明したことにより、本発明によれば、トレンド画面に表示されている現状の測定結果と設定との関係が、利用者に容易に確認できるようになるという優れた効果が得られる。
【図面の簡単な説明】
【００１７】
【図１】図１は、本発明の実施の形態における表示装置の構成を示す構成図である。
【図２】図２は、本発明の実施の形態における表示装置の表示部１０８における表示例を示す構成図である。
【図３】図３は、本発明の実施の形態における表示装置の表示部１０８における表示例を示す構成図である。
【図４】図４は、従来の表示装置の表示構成を示す構成図である。
【発明を実施するための形態】
【００１８】
以下、本発明の実施の形態について図を参照して説明する。図１は、本発明の実施の形態における表示装置の構成を示す構成図である。この表示装置は、測定値グラフ生成部１０１，イベント発生グラフ生成部１０２，設定範囲グラフ生成部１０３，待機状態検出部１０４，待機状態表示生成部１０５，表示制御部１０６，表示部１０８，および入力部１０９を備える。
【００１９】
測定値グラフ生成部１０１は、監視対象で測定された測定値の変化を時系列に示す測定値変化グラフを生成する。イベント発生グラフ生成部１０２は、測定値変化グラフと同じ目盛りの時間軸で測定値の変化に対応させ、イベントの発生有無をタイミング図で示したイベント発生表示グラフを生成する。イベントは、図示しないイベント発生部より発生される。イベント発生部により、イベントの発生に関して設定された数値範囲となった測定値が検出されてイベントが発生される。イベントは、例えば警報である。
【００２０】
また、設定範囲グラフ生成部１０３は、測定値変化グラフと同じ目盛りの測定値軸で、上記数値範囲を示す設定範囲表示グラフを生成する。また、待機状態検出部１０４は、設定されている条件に一致する監視対象の動作状態の検出により、イベントの発生有無に関係なく監視対象について警報を出力しない待機状態であるか否かを検出する。待機状態表示生成部１０５は、待機状態検出部１０４が検出した待機状態を示す待機状態表示を生成する。
【００２１】
表示制御部１０６は、測定値グラフ生成部１０１が生成した測定値変化グラフおよび待機状態表示生成部１０５が生成した待機状態表示を同時に、表示部１０８にトレンド画面として表示させる。また、表示制御部１０６は、イベント発生グラフ生成部１０２が生成したイベント発生表示グラフ，設定範囲グラフ生成部１０３が生成した設定範囲表示グラフも、表示部１０８に表示させる。
【００２２】
例えば、図２に示すように、表示部１０８の測定値変化表示領域１２１に、測定値変化グラフが表示され、イベント発生表示領域１２２に、イベント発生表示グラフ（タイミング図）が表示される。図２に示す例では、２つの温度測定値の時系列変化を示すグラフが、トレンド画面の一部として表示されている。また、図２に示す例では、一方の測定値の時系列変化に対し、警報１の発生有無を示すイベント発生グラフ１３１、警報２の発生有無を示すイベント発生グラフ１３２、および警報３の発生有無を示すイベント発生グラフ１３３が、トレンド画面の一部として表示されている。
【００２３】
また、表示部１０８の設定範囲表示領域１２３に、設定範囲表示グラフが表示される。図２に示す例では、警報１の発令に関して設定された数値範囲を示す範囲グラフ１４１、警報２の発令に関して設定された数値範囲を示す範囲グラフ１４２、警報３の発令に関して設定された数値範囲を示す範囲グラフ１４３が、トレンド画面の一部として表示されている。
【００２４】
また、図２に示す例では、各数値範囲に対し、設定されている不感帯も示されている。例えば、警報１のための設定範囲については、上限について１００〜１１０℃が不感帯として設定されていることが、範囲グラフ１４１に示されている。また、警報２のための設定範囲については、下限について５０〜６０℃、上限について８０〜９０℃が不感帯として設定されていることが、範囲グラフ１４２に示されている。また、警報２のための設定範囲については、下限について３０〜４０℃、上限について１３０〜１４０℃が不感帯として設定されていることが、範囲グラフ１４２に示されている。
【００２５】
また、図２に示す例では、設定範囲グラフ生成部１０３の制御により、各範囲グラフにおいて、数値範囲の数値表示が表示されている。このように、設定範囲グラフ生成部１０３が、数値範囲の数値表示を備える設定範囲表示グラフを生成し、これを表示するようにしてもよい。
【００２６】
加えて、図２に示す例では、待機状態表示領域１２４に、待機状態表示が表示される。ここでは、設定範囲表示領域１２３に表示される各警報の設定範囲表示グラフに対応し、待機状態であるかどうかを示すインジケータが表示される。
【００２７】
上述したように、設定範囲表示グラフを表示することで、イベント発生に関する設定値や、イベントが発生することになる測定値の範囲などと、測定結果との関係が、瞬時に判断できるようになる。また、上述したように、警報などのイベントは、１つに限るものではなく、同じ測定値に対して設定されている複数のイベント発生について、同時に表示してもよい。この場合、イベント発生グラフ生成部１０２は、複数のイベントの発生有無を示すイベント発生表示グラフを生成し、設定範囲グラフ生成部１０３は、複数のイベント毎に対応する設定範囲を各々異なる表示状態とした設定範囲表示グラフを生成する。
【００２８】
また、実施の形態では、各イベント発生条件を示す設定範囲表示グラフに合わせて待機状態をインジケータなどにより表示するようにしたので、待機状態であることが、トレンド画面で確認できるようになる。このため、例えば、トレンド画面にグラフ表示されている測定値が、操作者が知り得ている設定範囲を超えて異常値を示しているが、待機状態であるため、警報がオン状態として表示されていないことが、一目で認識できるようになる。
【００２９】
また、この表示装置は、測定値が設定されているディレイの状態であることを検出するディレイ状態検出部１１１と、ディレイ状態検出部１１１が検出したディレイの状態を表示するディレイ表示を生成するディレイ表示生成部１１２とを備える。ディレイ状態検出部１１１は、ディレイ状態であることを検出すると、検出したディレイの状態の経過時間を検出する。ディレイ表示生成部１１２は、ディレイ状態の経過時間を示すディレイ表示を生成する。
【００３０】
ディレイ表示生成部１１２が、ディレイ表示を生成すると、表示制御部１０６は、測定値変化グラフ，イベント発生表示グラフ，設定範囲表示グラフ，および待機状態表示に加え、生成されたディレイ表示を同時に表示部１０８に表示させる。
【００３１】
例えば、図２に示すように、ディレイ状態表示領域１２５に、オフディレイの状態が表示される。ここでは、設定範囲表示領域１２３に表示される各警報の設定範囲表示グラフに対応し、オフディレイ状態であることに加えてディレイ状態の経過時間を棒グラフで表示する。例えば、ディレイ状態の警告については背景が白の状態で時間の経過とともにバーの色が変化する。一方、ディレイ状態ではない警告では、バーの色がグレーとなる。
【００３２】
オフディレイが設定されている場合、警報のオフ点の範囲になったにもすぐにオフとならない。このオフディレイの時間が数秒程度であれば、操作者がトレンド画面を監視していれば、その影響によるものであることがわかる。しかしながら、長時間のディレイであった場合には、後からこの状態を見たときになぜオフしないのかを知るには、設定などを確認しなければならず、大きな手間がかかる。これに対し、上述したように、ディレイの状態がトレンド画面に示されていれば、動作の状態が瞬時に確認できる。
【００３３】
また、この表示装置は、イベントが発生した時刻を示す時間軸に垂直な線を、イベント発生表示グラフに連結した状態で測定値変化グラフ内に生成する時刻連結線生成部１１３を備える。時刻連結線生成部１１３が、時刻連結線を生成すると、表示制御部１０６は、測定値変化グラフ，イベント発生表示グラフ，設定範囲表示グラフ，および待機状態表示に加え、生成された時刻連結線を同時に表示部１０８に表示させる。例えば、図２に示すように、測定値変化表示領域１２１からイベント発生表示領域１２２にかけて、点線による時刻連結線１６１を表示する。このようにすることで、設定値の変化とイベント発生タイミングとの時系列な関係が、よりわかりやすくなる。
【００３４】
また、この表示装置は、数値連結線生成部１１４備える。数値連結線生成部１１４は、イベントが発生する数値範囲を示す時間軸に平行な線を、設定範囲表示グラフに連結した状態で測定値変化グラフ内に生成する。
【００３５】
このように数値連結線生成部１１４が、数値連結線を生成すると、表示制御部１０６は、測定値変化グラフ，イベント発生表示グラフ，および設定範囲表示グラフに加え、生成された数値連結線を同時に表示部１０８に表示させる。例えば、図２に示すように、設定範囲表示領域１２３から測定値変化表示領域１２１にかけて、点線による数値連結線１６２を表示する。このようにすることで、設定値と測定結果との関係が、よりわかりやすくなる。
【００３６】
また、この表示装置は、測定値グラフ表示変更部１１５を備える。測定値グラフ表示変更部１１５は、数値連結線生成部１１４が生成した線を境界線として測定値変化グラフ内を分割し、分割した測定値変化グラフ内の領域を対応するイベント発生表示グラフと同じ表示状態に変更する。
【００３７】
このように、測定値グラフ表示変更部１１５が表示変更をすると、表示制御部１０６は、測定値グラフ表示変更部１１５により変更された測定値変化グラフを表示部１０８に表示させる。例えば、図３に示すように、範囲グラフ１４１の範囲を示す測定値変化表示領域１２１の範囲１５１を、範囲グラフ１４１と同じ色で表示する。また、範囲グラフ１４２の範囲を示す測定値変化表示領域１２１の範囲１５２を、範囲グラフ１４２と同じ色で表示する。また、範囲グラフ１４３の範囲を示す測定値変化表示領域１２１の範囲１５３を、範囲グラフ１４１と同じ色で表示する。各表示色は、各々識別可能に異なる色とする。このように色分け表示することで、設定値と測定結果との関係が、よりわかりやすくなる。
【００３８】
以上に説明したように、本発明によれば、測定値の変化が表示される測定値変化グラフと同じ目盛りの測定値軸で、数値範囲を示す設定範囲表示グラフを生成し、測定値変化グラフとともに表示するなかで、待機状態を示す待機状態表示を同時に表示するようにしたので、トレンド画面に表示されている現状の測定結果と設定との関係が、利用者に容易に確認できるようになる。
【００３９】
従来のトレンド画面では、設定，設定が反映された結果，および測定結果や、これらの結果の関連が正しいか、あるいは、当該結果となった理由を確認するためには、設定の記憶を頼りにするしかなく、直感的に状態の良否を判断することが難しかった。また、設定値を表示しても、数字の羅列であるため、トレンド画面のグラフと数値を並べてもモニタの値と設定値の関係を直感的に知ることは難しかった。
【００４０】
特に温度調節計に特有な、警報における不感帯の動作、待機状態、オンディレイ、オフディレイが利用されている場合、全ての設定がどのようになっているかを直感的に知ることは、正しい判断や設定ミスを防ぐ上で重要である。しかし、従来では、現在の警報結果をもたらしている設定と測定値との関係を直感的に判別することはできなかった。
【００４１】
これに対し、本発明によれば、設定の数値を別途に確認することなく、現在の測定値や警報の状態に加え、設定範囲が１つの画面で直感的に理解できるため、オンオフの設定と測定結果との相関の確認に対して、作業の効率やミスをこれまでと比較して大幅に防ぐことが可能となる。
【００４２】
なお、本発明は以上に説明した実施の形態に限定されるものではなく、本発明の技術的思想内で、当分野において通常の知識を有する者により、多くの変形および組み合わせが実施可能であることは明白である。本発明は、表示制御部の制御により、測定値変化グラフおよび待機状態表示を同時に、表示部にトレンド画面として表示させることが重要であり、設定範囲表示グラフ，イベント発生表示グラフ，オフディレイの状態表示，連結線，範囲の色分けなどは、適宜に組み合わせることができる。
【符号の説明】
【００４３】
１０１…測定値グラフ生成部、１０２…イベント発生グラフ生成部、１０３…設定範囲グラフ生成部、１０４…待機状態検出部、１０５…待機状態表示生成部、１０６…表示制御部、１０８…表示部、１０９…入力部、１１１…ディレイ状態検出部、１１２…ディレイ表示生成部、１１３…時刻連結線生成部、１１４…数値連結線生成部、１１５…数値連結線生成部。
【図１】
0006371634.tif 000002
【図２】
0006371634.tif 000003
【図３】
0006371634.tif 000004
【図４】
0006371634.tif 000005